Podtech/llm-jp-corpus-v4-ja_patent huggingface dataset:
【手続補正書】
【提出日】平成15年1月8日(2003.1.8)
【手続補正１】
【補正対象書類名】明細書
【補正対象項目名】特許請求の範囲
【補正方法】変更
【補正の内容】
【特許請求の範囲】
【請求項１】
プロトン交換膜（４）、プロトン交換膜の片側の陽極触媒層（１，１６）、プロトン交換膜の反対側の陰極触媒層（７）、およびプロトン交換膜（４）の各側のガス分配層（３，５）から構成される固体高分子型燃料電池構造において、少なくとも１つのガス分配層（３，５）は、プロトン交換膜（４）に対向する表面に形成された水の流路（３ａ）または水性相の流路（３ａ）を有する平坦な多孔質構造であり、前記水または水性相の流路（３ａ）を備えるガス分配層（３、５）は、ガス分配層中の前記水または水性相の流路（３ａ）に連結される水または水性相入口流路と同一平面にある封止板（２，６）により密閉されていることを特徴とする固体高分子型燃料電池構造。
【請求項２】
陽極側ガス分配層（３）は、水または水性相の流路（３ａ）を備えることを特徴とする請求項１に記載の構造。
【請求項３】
水または水性相の流路（３ａ）は、幅が約５０〜１００μｍであることを特徴とする請求項１または２に記載の構造。
【請求項４】
水または水性相の流路（３ａ）は、深さが約１００〜３００μｍであることを特徴とする請求項１〜３のいずれかに記載の構造。
【請求項５】
水または水性相の流路（３ａ）は、約２００〜１０００μｍの間隔で離れていることを特徴とする請求項１〜４のいずれかに記載の構造。
【請求項６】
陰極側ガス分配層（５）は、同一平面の封止板（６）により密閉された多孔質構造であることを特徴とする請求項２に記載の構造。
【請求項７】
陰極側ガス分配層（５）は膜（４）に対向する表面に形成される水または水性相の流路（３ａ）を備え、かつガス分配層中の前記水または水性相の流路（３ａ）に連結される水または水性相の入口流路と同一平面にある封止板（６）により密閉されていることを特徴とする請求項６に記載の構造。
【請求項８】
水または水性相の流路（３ａ）は、疎水性の被膜を備えることを特徴とする請求項１〜７のいずれかに記載の構造。
【請求項９】
双極板（１，７）が、膜（４）から離れた各封止板（２，６）の側面に設置されることを特徴とする請求項１〜８のいずれかに記載の構造。
【請求項１０】
各双極板（１，７）は、片側に陽極触媒層および反対側に陰極触媒層を備えることを特徴とする請求項９に記載の構造。
【請求項１１】
各双極板（１，７）の陰極層側は、少なくとも１つの陰極ガス流路（２２）を備え、かつ陽極層側は陽極ガス流路（１９）および少なくとも１つの水または水性相の入口（２０）を備えることを特徴とする請求項１０に記載の構造。
【請求項１２】
陽極触媒層（１６）が、陽極側ガス分配層（３）上に設置されることを特徴とする請求項１〜８のいずれかに記載の構造。
【請求項１３】
陰極触媒層が、陰極側ガス分配層（５）上に設置されることを特徴とする請求項１２に記載の構造。
【請求項１４】
水は、プロトン導電材料である比較的無孔の層（１７）により、水または水性相の流路（３ａ）中に保持されることを特徴とする請求項１２または１３に記載の構造。
【請求項１５】
少なくとも１つの触媒層（１６）が、膜（４）上に設置されることを特徴とする請求項１〜８のいずれかに記載の構造。
【請求項１６】
もう１つの触媒層が、膜（４）の反対側のガス分配層上に設置されることを特徴とする請求項１５に記載の構造。
【請求項１７】
水は、ガス透過性の高い材料である比較的無孔の層（１８）により、水または水性相の流路（３ａ）中に保持されることを特徴とする請求項１５または１６に記載の構造。
【請求項１８】
水性相は、主に水およびメタノールの混合物から構成されることを特徴とする請求項１ないし１７のいずれかに記載の構造。
【手続補正２】
【補正対象書類名】図面
【補正対象項目名】図４
【補正方法】変更
【補正の内容】
【図４】
2004503068.tif 000001
【手続補正書】
【提出日】平成14年5月21日(2002.5.21)
【手続補正１】
【補正対象書類名】明細書
【補正対象項目名】００２０
【補正方法】変更
【補正の内容】
【００２０】
図１ａは、所定の形式のハイパーリンクファイルを、大きな寸法を有するスクリーンに表示した場合に見える状態で示している。ほとんどの所定の形式のハイパーリンクファイルは（一般のデスクトップブラウザによってｈｔｍｌファイルで作成されるものがそうであるように）、「太った」ブラウザ能力に適しているので、所定の形式のハイパーリンクファイル全体をモバイルステーション上のディスプレイが示すことができないことがしばしばある。このような環境下では、モバイルステーションは、一般のｈｔｍｌページをコンピュータディスプレイのディスプレイ領域で見ることができない場合にそのｈｔｍｌページ上で実施されるスクロールの効果と同様の「スクロール」能力を提供することができる。過剰の所定の形式のハイパーリンクファイルをバーチャルスクリーン１００と呼ぶ。デバイス、例えばモバイルステーションのディスプレイで見ることができるバーチャルスクリーン１００の領域を、可視ウィンドウ１０１と呼ぶ。図１ｂに示した可視ウィンドウ１１１は極めて小さいので、バーチャルスクリーン１１０の過剰分は、可視ウィンドウの左縁１１２と右縁１１３ならびに頂縁１１４と底縁１１５とを超えて延びている。


【手続補正２】
【補正対象書類名】明細書
【補正対象項目名】００２４
【補正方法】変更
【補正の内容】
【００２４】
モバイルステーション上で実行する本発明の実施例は、図３のステップを実施する。所定の形式のハイパーリンクファイルが通信ポートを通して、あるいは別のプロセスからまたはローカル記憶装置から取得される（３０１）。ブラウジングデバイスのＣＰＵが所定の形式のハイパーリンクファイルを解釈する（３０２）。所定の形式のハイパーリンクファイルのストリングがハイパーリンクであるかどうかを見る（３０３）ために、各デリミタ毎に決定が行われてよい。このような決定方法は当業者に良く知られている。ストリングがハイパーリンクである場合、リンクが二次元バーチャルスクリーン内で現れることになる位置について、決定が行われる（３０５）。このような位置は、ハイパーリンクストリング、水平方向またはｘ位置、鉛直方向またはｙ位置を記憶するデータ構造、例えばリストに記憶されてよい。解釈ステップおよびリスト記憶ステップ３０５は、ファイルの終了が検出される（３０７）まで繰り返し実行されてよい。


【手続補正３】
【補正対象書類名】明細書
【補正対象項目名】００２７
【補正方法】変更
【補正の内容】
【００２７】
図４ａは、バーチャルスクリーン４０１におけるいくつかのハイパーリンクの例を示す。可視ウィンドウ４０３はバーチャルスクリーン４０１の中央部を占めている。リンクＤ４１１は座標（１，５）に配置されている。リンクＤ４１１、リンクＥ４１２、リンクＦ４１３およびリンクＧ４１４は可視ウィンドウ４０３内で全て眼に見える。


【手続補正４】
【補正対象書類名】図面
【補正対象項目名】図３
【補正方法】変更
【補正の内容】
【図３】
2004503008.tif 000001
【手続補正５】
【補正対象書類名】図面
【補正対象項目名】図５
【補正方法】変更
【補正の内容】
【図５】
2004503008.tif 000002
【手続補正書】
【提出日】平成16年4月8日(2004.4.8)
【手続補正１】
【補正対象書類名】明細書
【補正対象項目名】特許請求の範囲
【補正方法】変更
【補正の内容】
【特許請求の範囲】
【請求項１】  電気的な機器に電気的なケーブル（２）を接続するための接続装置であって、電気的なケーブル（２）が、電気的な機器の、対応するソケット内に差し込むためのコネクタ（３）、特にＲＪ−４５型コネクタパターンを有するコネクタ（３）に接続されている形式のものにおいて、電気的なケーブル（２）とコネクタ（３）とが、ケーシング内に挿入可能であり、かつ挿入された状態でケーシング内に保持されており、電気的なケーブル（２）もしくは該電気的なケーブル（２）に接続されたコネクタ（３）が、ケーシングに配置された係止手段（４）によってソケットにもしくは電気的な機器に位置固定可能であることを特徴とする、電気的な機器に電気的なケーブルを接続するための接続装置。
【手続補正書】
【提出日】平成15年1月7日(2003.1.7)
【手続補正１】
【補正対象書類名】明細書
【補正対象項目名】特許請求の範囲
【補正方法】変更
【補正の内容】
【特許請求の範囲】
【請求項１】
半導体ウェハ（１００）上に形成するための方法であって、
半導体ウェハの中に及び／またはその上において、
誘電性接触領域を備え、半導体ウェハの上面に重ねあわせている絶縁層を貫通する複数のビアおよびいくつかのトレンチにて、銅を使用する配線パターンを有しているデバイスを備えており、
上記デバイス上に第１の絶縁層（１０）を形成するステップ；
第１の絶縁層（１０）の上面（１０ａ）からビア（１６ａ、１６ｂ、１６ｃ）を形成することで、上記ビア（１６ａ、１６ｂ、１６ｃ）がデバイスの接触領域とつながるステップ；
導体によりビア（１６ａ、１６ｂ、１６ｃ）を充填するステップ；
第１の絶縁層（１０）上に第２の絶縁層（１８）を形成するステップ；
第１の絶縁層（１０）の導体が充填されたビア（１６ａ、１６ｂ、１６ｃ）と導通している第２の絶縁層（１８）を貫通して、ビア（２２ａ、２２ｂ、２２ｃ）を形成するステップ；
第２の絶縁層（１８）を貫通して、銅によりビア（２２ａ、２２ｂ、２２ｃ）を充填するステップ；
第２の絶縁層（１８）の上面（１８ａ）上に、第３の絶縁層（２４）を形成するステップ；
第３の絶縁層（２４）の上面（２４ａ）上に、上記第３の絶縁層（２４）に比べて異なるエッチング特性を有する第４の絶縁層（２６）を形成するステップ；
第３の絶縁層（２４）により、第２の絶縁層（１８）を貫通しており銅が充填されたビア（２２ａ、２２ｂ、２２ｃ）から分離されるが、第２の絶縁層（１８）を貫通しているビア（２２ａ、２２ｂ、２２ｃ）の位置と合わせるようにビア（２８ａ、２８ｂ、２８ｃ）を形成するため、第４の絶縁層（２６）のパターンを形成し、エッチングするステップ；
第４の絶縁層（２６）の上面上に反射防止層（３０）を形成することで、反射防止材料によりビア（２８ａ、２８ｂ、２８ｃ）を充填するステップ；
反射防止層（３０）および材料のパターンを形成して、第４の絶縁層（２６）にてトレンチの範囲を規定するステップ；
反射防止層（３０）および第４の絶縁層（２６）の部分を取り除いて、第４の絶縁層（２６）を貫通しているビア（２８ａ、２８ｂ、２８ｃ）の上位部分と通じている第４の絶縁層（２６）にてトレンチ（３１ａ、３１ｂ、３１ｃ）を形成するステップであり、
当該ステップにおいては、上記反射防止層（３０）および上記第４の絶縁層（２６）の部分が、第１のエッチング手段の使用によって取り除かれ、それによって第４の絶縁層（２６）のビア（２８ａ、２８ｂ、２８ｃ）の底に残った反射防止層（３０）のプラグ（３０ａ、３０ｂ、３０ｃ）を残しており；
第４の絶縁層（２６）および、第２の絶縁層（１８）と第４の絶縁層（２６）との間の第３の絶縁層（２４）の部分において、第２のエッチング手段を使うことによってプラグを取り除くステップ；
第４の絶縁層および取り除かれた第３の絶縁層の部分において、トレンチおよびビアを銅により充填するステップを有することを特徴とする方法。
【請求項２】
上記第４の絶縁層（２６）のビア（２８ａ、２８ｂ、２８ｃ）およびトレンチ（３０ａ、３０ｂ、３０ｃ）は、銅によりはみ出るまで充填され、生成された構成を平坦化するために化学的機械研磨が用いられることを特徴とする請求項１に記載の方法のプロセス。
【請求項３】
上記第１の絶縁層（１０）がＢＰＳＧ、第２（１８）および第４（２６）の絶縁層がシリコンオキシド、第３の絶縁層（２４）がシリコンニトリドであることを特徴とする請求項１〜２いずれか１項に記載の方法。
【請求項４】
上記導体は、タングステンであることを特徴とする請求項１〜３いずれか１項に記載の方法。
【請求項５】
上記導体は、アルミニウムであることを特徴とする請求項１〜３いずれか１項に記載の方法。
【請求項６】
第１の絶縁層（１０）を貫通して、分離しているビア（１６ａ、１６ｂ、１６ｃ）各々と導通しており、導体により各々充填されているトレンチを第１の絶縁層（１０）の上面（１０ａ）にて形成するステップ；
第１の絶縁層（１０）のビア（１６ａ、１６ｂ、１６ｃ）およびトレンチを、はみ出るまで導体により充填し、化学的機械研磨を用いて双方を平坦化するステップ；
第２の絶縁層（１８）の分離しているビア（２２ａ、２２ｂ、２２ｃ）各々と導通しており、銅により各々充填されているトレンチを第２の絶縁層（１８）の上面（１８ａ）にて形成するステップ；
第２の絶縁層（１８）のビア（２２ａ、２２ｂ、２２ｃ）およびトレンチを、はみ出るまで銅により充填し、化学的機械研磨を用いて双方を平坦化するステップを有することを特徴とする請求項１〜５いずれか１項に記載の方法。
【請求項７】
反射防止層（３０）および反射防止材料は、第３の絶縁層（２４）に比べて異なるエッチング率を有することを特徴とする請求項１〜６いずれか１項に記載の方法。
【請求項８】
第３の絶縁層（２４）のシリコンニトリド層は、プラズマＣＶＤによって成膜されることを特徴とする請求項１〜７いずれか１項に記載の方法。
【手続補正書】
【提出日】平成15年3月25日(2003.3.25)
【手続補正１】
【補正対象書類名】明細書
【補正対象項目名】特許請求の範囲
【補正方法】変更
【補正の内容】
【特許請求の範囲】
【請求項１】
化粧品として受容可能な媒体中に少なくとも一つのブロックコポリマーを含む化粧組成物であって、該ブロックコポリマーが少なくとも二つのポリマーブロックＡ及びＢから成り、それぞれのポリマーブロックＡが隣接する一又は複数のポリマーブロックＢの屈折率より少なくとも０．１単位大きいか又は小さい屈折率を有していることを特徴とする、組成物。
【請求項２】
ブロックコポリマー中に存在するブロックの数が２に等しいか又はそれより大きいことを特徴とする、請求項１に記載の化粧組成物。
【請求項３】
ブロックを以下から選択するモノマーから製造することを特徴とする、請求項１に記載の化粧組成物：アクリル酸、メタクリル酸、Ｎ，Ｎ−ジメチルアクリルアミド、４級化したか又は４級化していないジメチルアミノエチルメタクリレート、メタクリルアミド、Ｎ−ｔ−ブチルアクリルアミド、マレイン酸及びそのヘミエステル、無水マレイン酸、クロトン酸、イタコン酸、アクリルアミド、ヒドロキシル化した（メタ）アクリレート、例えばヒドロキシエチルメタクリレート、ジアリルジメチルアンモニウムクロリド、ビニルピロリドン、ビニルエーテル、マレイミド、ビニルピリジン、ビニルイミダゾール、他の極性ヘテロ環式ビニル化合物、スチレンスルホネート、アリル系アルコール、ビニルアルコール、上記のいずれかの酸とアミンの塩、Ｃ1〜Ｃ13アルコールのアクリル酸又はメタクリル酸エステル、フルオロアクリレート、スチレン、ポリスチレン、ビニルアセテート、ビニルクロリド、ビニリデンクロリド、ビニルプロピオネート、α−メチルスチレン、ｔ−ブチルスチレン、ブタジエン、シクロヘキサジエン、エチレン、プロピレン、ビニルトルエン、及びこれらの混合物。
【請求項４】
ブロックコポリマーがポリスチレン／ポリ（エチル２−ペルフルオロオクチルアクリレート）コポリマーであることを特徴とする、請求項１に記載の化粧組成物。
【請求項５】
ブロックポリマーが１０，０００〜５００，０００ｇ／モルの光散乱で測定した質量平均分子量を有することを特徴とする、請求項１に記載の化粧組成物。
【請求項６】
ブロックコポリマーの割合が化粧組成物の全質量に対して０．００１質量％〜１０質量％であることを特徴とする、先の請求項１ないし７のいずれか１項に記載の化粧組成物。
【請求項７】
請求項１に記載の化粧組成物のスタイリング製品としての使用。
【手続補正書】
【提出日】平成15年2月7日(2003.2.7)
【手続補正１】
【補正対象書類名】明細書
【補正対象項目名】特許請求の範囲
【補正方法】変更
【補正の内容】
【特許請求の範囲】
【請求項１】
エチレンのエチレンオキシドへの気相酸化方法であって、
ｉ）新しい触媒を用いる初期操作段階で操作すること、および、
ｉｉ）累積エチレンオキシド生成量が触媒１ｍ３あたりエチレンオキシド０．０１ｋＴを超えるときに、反応混合物中のエチレン濃度を増大させる後続の操作段階で操作することによって、
触媒として有効な量の銀、促進する量のレニウムもしくはその化合物、促進する量の少なくとも一つのさらなる金属もしくはその化合物を含む担持された高選択性銀系触媒が存在する状態でエチレンおよび酸素を含む反応混合物を反応させることを含む前記方法。
【請求項２】
後続の操作段階において、累積エチレンオキシド生成量が触媒１ｍ３あたりエチレンオキシド０．３ｋＴを越えるときにエチレン濃度を上昇させる、請求項１に記載の方法。
【請求項３】
後続の操作段階において、累積エチレンオキシド生成量が触媒１ｍ３あたりエチレンオキシド０．５ｋＴを越えるときにエチレン濃度を上昇させる、請求項２に記載の方法。
【請求項４】
後続の操作段階において、累積エチレンオキシド生成量が触媒１ｍ３あたりエチレンオキシド１ｋＴを越えるときに、エチレン濃度を上昇させる、請求項３に記載の方法。
【請求項５】
エチレン濃度が、初期操作段階において用いられるエチレン濃度の１．１から４倍に増加される、請求項１〜４のいずれかに記載の方法。
【請求項６】
用いられる酸素濃度が、初期操作段階において用いられる酸素濃度の０．９８から０．３倍に低下される、請求項５に記載の方法。
【請求項７】
担持された高選択性銀系触媒が、触媒として有効な量の銀、促進する量のレニウムもしくはその化合物、促進する量のアルカリ金属、アルカリ土類金属、モリブデン、タングステン、クロム、チタン、ハフニウム、ジルコニウム、バナジウム、タリウム、トリウム、タンタル、ニオブ、ガリウム、ゲルマニウムおよびそれらの混合物から選択される少なくとも一つのさらなる金属もしくはその化合物、ならびに硫黄、リン、ホウ素およびそれらの化合物１つ以上から選択される促進を補助する量のレニウム補助促進剤を含み、全触媒に対して元素として計算して、
銀の量が、１０から３００ｇ／ｋｇの範囲であり、
レニウムの量が、０．０１から１５ｍｍｏｌ／ｋｇの範囲であり、
さらなる金属（単数または複数）の量が、１０から３０００ｍｇ／ｋｇの範囲であり、
レニウム補助促進剤の量が、０．１から１０ｍｍｏｌ／ｋｇの範囲であり、
担体が多孔質であり、その表面積が０．０５から２０ｍ２／ｇの範囲であり、担体の材料が主としてα−アルミナである、請求項１〜６に記載の方法。
【請求項８】
少なくとも一つのさらなる金属が、リチウム、カリウムおよび／またはセシウムを含む、請求項７に記載の方法。
【請求項９】
気相調節剤として、Ｃ１からＣ８塩素化炭化水素または臭素化炭化水素を含む０．３から２５ｐｐｍｖの有機ハロゲン化物が存在する、請求項１〜８のいずれかに記載の方法。
【請求項１０】
有機ハロゲン化物が、塩化メチル、塩化エチル、二塩化エチレン、二臭化エチレン、塩化ビニルおよびそれらの混合物から選択される、請求項９に記載の方法。
【請求項１１】
後続の操作段階において、反応混合物の組成が、初期操作段階において用いられるエチレン濃度より５から３０ｍｏｌ％多くエチレンを含むように変えられる、請求項１〜１０のいずれかに記載の方法。
【請求項１２】
請求項１〜１１のいずれかに記載のエチレンオキシド製造方法によって得られたエチレンオキシドを１，２−エタンジオールまたは１，２−エタンジオールエーテルに転化させる工程を含む、１，２−エタンジオールまたは対応する１，２−エタンジオールエーテルを製造する方法。
【手続補正書】
【提出日】平成15年2月12日(2003.2.12)
【手続補正１】
【補正対象書類名】明細書
【補正対象項目名】特許請求の範囲
【補正方法】変更
【補正の内容】
【特許請求の範囲】
【請求項１】
以下の式Ｉで示されるピリミジン誘導体：
【化１】
2004503542.tif 000001
［式中、
Ｒ１は、Ｃ１−Ｃ１０−アルキル、Ｃ１−Ｃ１０−ハロアルキル、Ｃ２−Ｃ６−アルケニル、Ｃ２−Ｃ６−アルキニル、Ｃ４−Ｃ８−アルカジエニル、Ｃ１−Ｃ１０−アルコキシ、Ｃ３−Ｃ８−シクロアルキル、フェニル、または
１〜４個の窒素原子または１〜３個の窒素原子と１個の硫黄もしくは酸素原子を含む、５員もしくは６員のヘテロアリールまたは５員もしくは６員の複素環、または
トリ−Ｃ１−Ｃ６−アルキル−シリル、ホルミルまたはＣ１−Ｃ１０−アルコキシカルボニルを表し、
ここで、Ｒ１基は置換されていないかまたは１〜３個の基Ｒａによって置換されており、
Ｒａは、ハロゲン、ニトロ、シアノ、ヒドロキシ、または
Ｃ１−Ｃ１０−アルキル、Ｃ３−Ｃ６−シクロアルキル、Ｃ３−Ｃ６−シクロアルケニル、Ｃ１−Ｃ１０−ハロアルキル、Ｃ３−Ｃ６−ハロシクロアルキル、Ｃ１−Ｃ１０−アルコキシ、Ｃ１−Ｃ１０−ハロアルコキシ、Ｃ１−Ｃ６−アルコキシカルボニル、トリ−Ｃ１−Ｃ４−アルキルシリル、フェニル、ハロ−もしくはジハロ−フェニル、または１〜４個の窒素原子もしくは１〜３個の窒素原子と１個の硫黄もしくは酸素原子を含む、５員もしくは６員のヘテロアリールを表し；
Ｒ２は、フェニル、Ｃ３−Ｃ６−シクロアルキル、または１〜４個の窒素原子または１〜３個の窒素原子と１個の硫黄もしくは酸素原子を含む、５員もしくは６員のヘテロアリールを表し、これらは置換されていないかまたは１〜３個の基Ｒａによって置換されており；
Ｒ３は、水素、ハロゲン、または
Ｃ１−Ｃ１０−アルキル、Ｃ１−Ｃ１０−アルコキシ、Ｃ１−Ｃ１０−アルキルチオ、Ｃ１−Ｃ１０−アルキルアミノまたはジ−Ｃ１−Ｃ１０−アルキルアミノを表し、これらは置換されていないかまたは１〜３個の基Ｒａによって置換されており；
Ｒ４は、Ｃ１−Ｃ１０−アルキル、Ｃ２−Ｃ６−アルケニルまたはＣ２−Ｃ６−アルキニルを表し、これらは置換されていないかまたは１〜３個の基Ｒａによって置換されており；
Ｘは、Ｏ、Ｓ、ＮＲ５または単結合を表し、この場合Ｒ５は、水素またはＣ１−Ｃ１０−アルキルを表し；または
Ｒ１とＲ５とが間にある窒素原子と一緒になって複素環を形成している］。
【請求項２】
式中Ｒ２が以下の式：
【化２】
2004503542.tif 000002
［式中、Ｌ１〜Ｌ４は、それぞれ独立して、水素、フッ素、塩素またはメトキシを表す］
で示されるフェニル基を表す、請求項１に記載の式Ｉで示されるピリミジン誘導体。
【請求項３】
以下の式ＩＡで示されるピリミジン誘導体：
【化３】
2004503542.tif 000003
［式中、Ｒ１〜Ｒ５は請求項１において定義したとおりであり、Ｌ１〜Ｌ４は請求項２において定義したとおりである］。
【請求項４】
式中Ｒ３が塩素を表す、請求項１〜３のいずれか１項に記載のピリミジン誘導体。
【請求項５】
式中Ｒ４が、Ｃ１−Ｃ６−アルキルまたはベンジルを表す、請求項１〜４のいずれか１項に記載のピリミジン誘導体。
【請求項６】
以下の式ＩＩで示される化合物：
【化４】
2004503542.tif 000004
［式中、Ｒ１〜Ｒ３およびＸは式Ｉにおいて定義したとおりである］
を、塩基および以下の式ＩＩＩで示されるアルキル化剤：
Ｒ４−Ｙ          ＩＩＩ
［式中、Ｒ４はＣ１−Ｃ１０−アルキル、Ｃ２−Ｃ６−アルケニルまたはＣ２−Ｃ６−アルキニルであり、これらは置換されていないかまたは１〜３個の基Ｒａで置換されており、Ｙはハロゲン原子を表す］
で処理することによって請求項１に記載の式Ｉで示されるピリミジン誘導体を製造する方法。
【請求項７】
以下の式ＶＩで示されるスルホン化合物：
【化５】
2004503542.tif 000005
［式中、Ｒ１〜Ｒ３およびＸは式Ｉにおいて定義したとおりであり、Ｒ６はＣ１−Ｃ６−アルキルまたはＣ１−Ｃ６−ハロアルキルである］
と、以下の式ＶＩＩで示されるアルキル化シアナミド：
【化６】
2004503542.tif 000006
［式中、Ｒ４はＣ１−Ｃ１０−アルキル、Ｃ２−Ｃ６−アルケニルまたはＣ２−Ｃ６−アルキニルであり、これらは置換されていないかまたは１〜３個の基Ｒａで置換されいる］
とを反応させることによって請求項１に記載の式Ｉで示されるピリミジン誘導体を製造する方法であって、
式ＶＩで示されるスルホン化合物が、以下の式ＶＩＩＩで示される２−チオピリミジン誘導体：
【化７】
2004503542.tif 000007
［式中、各置換基は式ＶＩにおいて定義したとおりである］
と、酸化剤とを反応させることにより得られる、上記製造方法。
【請求項８】
以下の式ＶＩａおよびＶＩＩＩａで示される化合物：
【化８】
2004503542.tif 000008
［式中、
Ｒ１、Ｒａは請求項１において定義したとおりであり；
Ｒ２は２個または３個の置換基Ｒａによって置換されているフェニルであり；
Ｒ３は塩素であり；
Ｒ５は、水素、Ｃ１−Ｃ１０−アルキルまたはＣ１−Ｃ１０−ハロアルキルであり；または
ＮＲ５Ｒ１は、ピロリジン、ピペリジン、テトラヒドロピリジンまたはアゼパン環であり、これは１以上のＣ１−Ｃ１０−アルキル基で置換されていてもよく；
Ｒ６は、Ｃ１−Ｃ６−アルキルまたはＣ１−Ｃ６−ハロアルキルである］。
【請求項９】
担体および有効量の少なくとも１種の請求項１に記載の式Ｉで示される化合物を含む、殺真菌剤組成物。
【請求項１０】
有効量の少なくとも１種の請求項１に記載の式Ｉで示される化合物を用いてある場所を処理することを含む、該場所における真菌の防除方法。
【手続補正書】
【提出日】平成14年12月17日(2002.12.17)
【手続補正１】
【補正対象書類名】明細書
【補正対象項目名】００９３
【補正方法】変更
【補正の内容】
【００９３】
対応する出発物質は、市販されているか、又は当該技術に既知の方法（例えば、 ＤＥ ２６ ２４ ２９０； ＷＯ ９８／０３５４０； Ｃｈｅｍ． Ｐｈａｒｍ． Ｂｕｌｌ．， ３８（２）， ３５０−３５４ （１９９０）， Ｃｈｉｒａｌ Ｓｙｎｔｈｏｎ Ｏｂｔａｉｎｅｄ ｗｉｔｈ Ｐｉｇ Ｌｉｖｅｒ Ｅｓｔｅｒａｓｅ： Ｉｎｔｒｏｄｕｃｔｉｏｎ ｏｆ Ｃｈｉｒａｌ Ｃｅｎｔｅｒｓ ｉｎｔｏ Ｃｙｃｌｏｈｅｘｅｎｅ Ｓｋｅｌｅｔｏｎ； Ｊ． Ｃｈｅｍ． Ｓｏｃ． Ｐｅｒｋｉｎ Ｔｒａｎｓ．， １， １４１１−１４１５ （１９９４）， Ａｓｙｍｍｅｔｒｉｃ Ｓｙｎｔｈｅｓｉｓ ｏｆ （−）−（１Ｒ，２Ｓ）−Ｃｉｓｐｅｎｔａｃｉｎ ａｎｄ Ｒｅｌａｔｅｄ ｃｉｓ− ａｎｄ ｔｒａｎｓ−２−Ａｍｉｎｏ Ｃｙｃｌｏｐｅｎｔａｎｅ− ａｎｄ Ｃｙｃｌｏｈｅｘａｎｅ−１−ｃａｒｂｏｘｙｌｉｃ Ａｃｉｄｓ）により得ることができるか、又は前述の方法と類似の方法により得ることができる。
【手続補正書】
【提出日】平成16年7月8日(2004.7.8)
【手続補正１】
【補正対象書類名】明細書
【補正対象項目名】０００９
【補正方法】変更
【補正の内容】
【０００９】
一態様として、TACには、アドレナリン作動薬、その前駆体、その代謝産物、およびその組合わせが含まれる。好ましくは、TACには、α2アドレナリン作動薬、例えばイミノ-イミダゾリン類、イミダゾリン類、イミダゾール類、アゼピン類、チアジン類、オキサゾリン類、グアニジン類、カテコールアミン類、ならびにその生体適合性の塩およびエステルおよび混合物が含まれる。一態様として、TACには、キノキサリン成分が含まれる。キノキサリン成分には、キノキサリン、その生体適合性の塩、エステルおよび他の誘導体など、ならびにその混合物が含まれる。好ましくは、キノキサリン誘導体を含むキノキサリン成分は、α2アドレナリン作動薬である。キノキサリン誘導体の例は、例えば（2-イミダゾリン-2-イルアミノ）キノキサリン、5-ブロモ-6-（2-イミダゾリン-2-イルアミノ）キノキサリン、およびその生体適合性の塩およびエステル、好ましくは5-ブロモ-6-（2-イミダゾリン-2-イルアミノ）キノキサリンの酒石酸塩など、およびその混合物が含まれるが、これらに限るわけではない。以下、5-ブロモ-6-（2-イミダゾリン-2-イルアミノ）キノキサリンの酒石酸塩を「酒石酸ブリモニジン」という。
【手続補正２】
【補正対象書類名】明細書
【補正対象項目名】００５７
【補正方法】変更
【補正の内容】
【００５７】
酸化的保存剤成分の他の例として、ペルオキシ化合物が挙げられる。例えば、過酸化水素安定化剤によって安定化された微量のペルオキシ成分、例えばジエチレントリアミンペンタ（メチレンホスホン酸）または1-ヒドロキシエチリデン-1,1-ジホスホン酸などは、眼内環境での使用を意図した成分のための保存剤として利用することができる。また、水中で加水分解されて過酸化水素を生成するのであれば、事実上任意のペルオキシ成分を使用することができる。有効な量の過酸化水素を生成するそのような過酸化水素源の例としては、過ホウ素酸ナトリウム十水和物、過酸化ナトリウム、および過酸化尿素が挙げられる。有機ペルオキシ化合物の一種である過酢酸は、この系を利用して安定化することができないかもしれないことがわかっている。例えば、参照によりそのまま本明細書に組み込まれるMartinらの米国特許第5,725,887号を参照されたい。
【手続補正３】
【補正対象書類名】明細書
【補正対象項目名】００６３
【補正方法】変更
【補正の内容】
【００６３】
眼科的に許容できる適切な浸透圧調節成分は、それらが液状水性担体成分の他の成分と適合し、本組成物の投与を受けるヒトまたは動物を害するかもしれない有害なまたは有毒な性質を持たない限り、どれでも使用することができる。有用な浸透圧調節成分の例としては、塩化ナトリウム、塩化カリウム、マンニトール、デキストロース、グリセリン、プロピレングリコールおよびその混合物が挙げられる。一態様として、浸透圧調節成分は、無機塩およびその混合物から選択される。
【手続補正４】
【補正対象書類名】明細書
【補正対象項目名】００７６
【補正方法】変更
【補正の内容】
【００７６】
【表２】
2004503593.tif 000001
a  2日間撹拌した後、遠心分離および濾過のために試料を採取する前に測定
b  試料重量に基づく理論濃度を表す。試料溶液は透明で、全ての酒石酸ブリモニジンが溶解したことを示した。
c  遠心分離および濾過ステップ前の対照中の酒石酸ブリモニジンの濃度
d  遠心分離および濾過ステップ後の対照中の酒石酸ブリモニジンの濃度
e  ％（w／v）
【手続補正書】
【提出日】平成14年7月26日(2002.7.26)
【手続補正１】
【補正対象書類名】明細書
【補正対象項目名】特許請求の範囲
【補正方法】変更
【補正の内容】
【特許請求の範囲】
【請求項１】
骨誘導の必要がある被験体の部位に投与される、非タンパク質分解的活性化トロンビン受容体のアゴニストを含有してなる該部位の骨成長を刺激するための医薬組成物。
【請求項２】
該部位が骨移植の必要な部位である請求項１記載の組成物。
【請求項３】
該部位が、骨の分節間隙、骨空隙であるか、または非癒合骨折部にある請求項１記載の組成物。
【請求項４】
該アゴニストが、以下の構造式：
Ａｓｐ−Ａｌａ−Ｒ
（式中、Ｒはセリンエステラーゼ保存配列である。）
で表されるポリペプチドを含有するトロンビンペプチド誘導体である請求項１〜３いずれか記載の組成物。
【請求項５】
該トロンビンペプチド誘導体が約１２〜約２３個のアミノ酸を有する請求項４記載の組成物。
【請求項６】
該セリンエステラーゼ保存配列が、配列番号：１のアミノ酸配列（Ｃｙｓ−Ｇｌｕ−Ｇｌｙ−Ａｓｐ−Ｓｅｒ−Ｇｌｙ−Ｇｌｙ−Ｐｒｏ−Ｐｈｅ−Ｖａｌ）、または少なくとも６個のアミノ酸を有するそのＣ末端切形型断片（ただし、該セリンエステラーゼ保存配列の０、１、２または３個のアミノ酸は配列番号：１の対応する位置のものと異なる）を有する請求項５記載の組成物。
【請求項７】
該セリンエステラーゼ保存配列が、配列番号：１のアミノ酸配列（Ｃｙｓ−Ｇｌｕ−Ｇｌｙ−Ａｓｐ−Ｓｅｒ−Ｇｌｙ−Ｇｌｙ−Ｐｒｏ−Ｐｈｅ−Ｖａｌ）、または少なくとも９個のアミノ酸を有するそのＣ末端切形型断片（ただし、該セリンエステラーゼ保存領域の０、１または２個のアミノ酸は配列番号：１の対応するアミノ酸の同類置換である）を有する請求項５記載の組成物。
【請求項８】
該セリンエステラーゼ保存配列が、配列番号：２のアミノ酸配列（Ｃｙｓ−Ｘ１ −Ｇｌｙ−Ａｓｐ−Ｓｅｒ−Ｇｌｙ−Ｇｌｙ−Ｐｒｏ−Ｘ２ −Ｖａｌ；ここで、Ｘ１ はＧｌｕまたはＧｌｎ、Ｘ２ はＰｈｅ、Ｍｅｔ、Ｌｅｕ、ＨｉｓまたはＶａｌである）または少なくとも６個のアミノ酸を有する配列番号：２のＣ末端切形型断片を有する請求項５記載の組成物。
【請求項９】
該トロンビンペプチド誘導体がアミノ酸配列Ａｒｇ−Ｇｌｙ−Ａｓｐ−Ａｌａ（配列番号：３）を含有する請求項８記載の組成物。
【請求項１０】
該トロンビンペプチド誘導体が、アミノ酸配列Ａｒｇ−Ｇｌｙ−Ａｓｐ−Ａｌａ−Ｃｙｓ−Ｘ１ −Ｇｌｙ−Ａｓｐ−Ｓｅｒ−Ｇｌｙ−Ｇｌｙ−Ｐｒｏ−Ｘ２ −Ｖａｌ（配列番号：４）（ここでＸ１ はＧｌｕまたはＧｌｎ、Ｘ２ はＰｈｅ、Ｍｅｔ、Ｌｅｕ、ＨｉｓまたはＶａｌである）を含有する請求項９記載の組成物。
【請求項１１】
該トロンビンペプチド誘導体が、アミノ酸配列Ａｌａ−Ｇｌｙ−Ｔｒｙ−Ｌｙｓ−Ｐｒｏ−Ａｓｐ−Ｇｌｕ−Ｇｌｙ−Ｌｙｓ−Ａｒｇ−Ｇｌｙ−Ａｓｐ−Ａｌａ−Ｃｙｓ−Ｇｌｕ−Ｇｌｙ−Ａｓｐ−Ｓｅｒ−Ｇｌｙ−Ｇｌｙ−Ｐｒｏ−Ｐｈｅ−Ｖａｌ−（配列番号：５）またはそのＮ末端切形型断片（ただし、該トロンビンペプチド誘導体の１〜９位にある０、１、２または３個のアミノ酸は配列番号：５の対応する位置のアミノ酸と異なる）を有する請求項１０記載の組成物。
【請求項１２】
該トロンビンペプチド誘導体が、アミノ酸配列Ａｌａ−Ｇｌｙ−Ｔｒｙ−Ｌｙｓ−Ｐｒｏ−Ａｓｐ−Ｇｌｕ−Ｇｌｙ−Ｌｙｓ−Ａｒｇ−Ｇｌｙ−Ａｓｐ−Ａｌａ−Ｃｙｓ−Ｇｌｕ−Ｇｌｙ−Ａｓｐ−Ｓｅｒ−Ｇｌｙ−Ｇｌｙ−Ｐｒｏ−Ｐｈｅ−Ｖａｌ−（配列番号：５）またはそのＮ末端切形型断片（ただし、該トロンビンペプチド誘導体の１〜９位にある０、１または２個のアミノ酸は配列番号：５の対応する位置のアミノ酸の同類置換である）を有する請求項１０記載の組成物。
【請求項１３】
植込み可能な生体適合性担体をさらに含んでなる請求項１１記載の組成物。
【請求項１４】
該植込み可能な生体適合性担体が骨伝導性マトリックスである請求項１３記載の組成物。
【請求項１５】
該担体が、ポリ乳酸／ポリグリコール酸のホモポリマーまたはコポリマーを含む請求項１１記載の組成物。
【請求項１６】
該担体が、コラーゲン、フィブリン、リン酸カルシウム塩、硫酸カルシウム、グアニジン抽出同種異系骨またはその組み合せを包含する請求項１３記載の組成物。
【請求項１７】
該担体が注射可能である請求項１３〜１６いずれか記載の組成物。
【請求項１８】
該担体がポリ（プロピレンフマレート）溶液またはリン酸カルシウムセラミックペーストである請求項１７記載の組成物。
【請求項１９】
微粒子として投与される請求項１３〜１８いずれか記載の組成物。
【請求項２０】
骨誘導の必要がある部位に適用する前にあらかじめ形づくられた（ｐｒｅ−ｓｈａｐｅｄ）請求項１３〜１９いずれか記載の組成物。
【請求項２１】
骨誘導の必要がある被験体の部位で骨成長を刺激する方法であって、該被験体が、農場飼育動物、コンパニオン動物または実験動物であり、請求項１〜２０いずれか記載の組成物の治療有効量を該部位に投与することを含む方法。
【手続補正書】
【提出日】平成16年5月6日(2004.5.6)
【手続補正１】
【補正対象書類名】明細書
【補正対象項目名】請求項２３
【補正方法】変更
【補正の内容】
【請求項２３】  
動物（ヒトを除く）において経口または鼻腔吸入によって治療可能な症状を治療する方法であって、経口または鼻腔吸入によって前記動物に請求項１記載の製剤を投与する工程を含むことを特徴とする方法。
【手続補正書】
【提出日】平成15年2月17日(2003.2.17)
【手続補正１】
【補正対象書類名】明細書
【補正対象項目名】特許請求の範囲
【補正方法】変更
【補正の内容】
【特許請求の範囲】
【請求項１】
カーペットタイル等のカットまたはループのパイルカーペット製品を改装する方法であり、
高圧クリーニング流体源を用意し、クリーニングすべきパイル製品をクリーニング流体源下に供給し、クリーニング流体のストリームをパイル製品に照射して製品から汚れをクリーニングし、クリーニング後に製品を乾燥させ、クリーニングされた製品の背面に背面コーティングを塗布する工程を有している方法。
【請求項２】
クリーニング流体が２００〜２０００ｐｓｉｇの範囲の圧力でパイル製品に照射される、請求項１に記載の方法。
【請求項３】
クリーニングされたカーペットがクリーニング後にオーバープリントされる、請求項１に記載の方法。
【請求項４】
クリーニングされたカーペットがクリーニング後に明化（ｂｒｉｇｈｔｅｎ）される、請求項１に記載の方法。
【請求項５】
供給されるパイル製品がカットパイルカーペットタイルであり、カットパイルタイルの糸の撚りが戻され、クリーニング後にカットパイルカーペットタイルは剪毛されて均一な表面を与える、請求項１に記載の方法。
【請求項６】
コーティングされクリーニングされたカーペットタイルを乾燥し架橋し、その後にコーティングされクリーニングされたカーペットタイルを周囲温度に冷却する工程を更に有している、請求項１に記載の方法。
【請求項７】
請求項１の工程によって製造された背面コーティング改装カーペットタイル。
【請求項８】
改装カーペットタイルにおいて、改善点は可塑剤の移動を防止する改質コーティング材料の少なくとも一つの薄い層の背面コーティングを有している、改装カーペットタイル。
【請求項９】
カーペットタイルにおいて、改善点は可塑剤の移動を防止するコーティング材料の少なくとも一つの薄い層の背面コーティングを有している、カーペットタイル。
【請求項１０】
ＰＶＣカーペットタイルを可塑剤の移動から保護する方法であり、改質アクリルコーティング材料の少なくとも一つの薄い層をカーペットタイルの背面に付与することを有している、方法。
【請求項１１】
クッション背面カーペットタイルにおいて、改善点は改質アクリルコーティング材料の少なくとも一つの薄い層をカーペットタイルの背面に有している、カーペットタイル。
【請求項１２】
硬質背面カーペットタイルにおいて、改善点は改質アクリルコーティング材料の少なくとも一つの薄い層をカーペットタイルの背面に有している、カーペットタイル。
【請求項１３】
パイル製品を改装する装置であり、
高圧クリーニング流体源を有しており、前記源は流体分配排出口、パイル製品を流体分配排出口を通過させて搬送してパイル製品から汚れをクリーニングする手段（パイル製品から汚れをクリーニングするためにパイル製品を流体分配排出口を通過させて搬送する手段）を有し、
流体分配排出口の下流に、パイル製品をクリーニング後に乾燥させる乾燥手段を有し、
乾燥手段の下流に、少なくとも一つの薄いコーティングをクリーニングされ乾燥したパイル製品の背面に塗布するコーティング手段を有している、装置。
【請求項１４】
使用済みカーペットタイルを改装する方法において、改良点は、改装カーペットタイルが染色される際に個々のカーペットタイルの間の均一な色と外観を達成するためにパイルフェイス糸を洗浄し再テクスチャ（再表面模様付け）する前にカーペットタイルを嵩張らせその後に化学的に処理するスチームである、方法。
【請求項１５】
請求項１４のプロセスによって製造された改装カーペットタイル。
【請求項１６】
改装カーペットタイルにおいて、改良点は、パイルフェイス糸の洗浄と再テクスチャと染色の前にカーペットタイルを嵩張らせ化学的に処理するスチームによって製造される、個々のタイル間の均一な色と外観である、カーペットタイル。
【請求項１７】
カーペットタイル等のカット又はループパイルカーペット製品を改装する方法であり、
パイルカーペット製品のフェイス糸をスチームして嵩張らせ、
パイルカーペット製品のフェイス糸にクリーニング流体のストリームを照射してパイルカーペット製品から汚れをクリーニングすることによりパイルカーペット製品を洗浄し、
陽イオン水溶性ポリマー有機化合物を塗布することによりパイルカーペット製品のフェイス糸を化学的に処理し、
パイルカーペット製品をオーブン内で均一な含水量に乾燥させ、フェイスの表面糸を均一な水平高さに剪毛し、
エッジをトリミングしてパイルカーペット製品スクエアにし、パイルカーペット製品をパターンジェット染色して新しい染め色やパターンを与え、
パイルカーペット製品をスチームし洗浄し乾燥させる、方法。
【請求項１８】
請求項１７の方法によって製造された改装パイルカーペット製品。
【請求項１９】
パイルカーペットを改装する方法において、改良点は、パイルカーペットのフェイス糸を洗浄の前にスチームし事前に嵩張らせることである、方法。
【請求項２０】
パイルカーペットを改装する方法において、改良点は、パイルカーペットのフェイス糸を染色の前に化学的に処理することである、方法。
【請求項２１】
パイルカーペットを改装する方法において、改良点は、パイルカーペットのフェイス糸を少なくとも一つの殺虫剤と殺菌剤で処理することである、方法。
【手続補正２】
【補正対象書類名】図面
【補正対象項目名】図１６
【補正方法】変更
【補正の内容】
【図１６】
2004503689.tif 000001
【手続補正書】
【提出日】平成14年12月25日(2002.12.25)
【手続補正１】
【補正対象書類名】明細書
【補正対象項目名】特許請求の範囲
【補正方法】変更
【補正の内容】
【特許請求の範囲】
【請求項１】
水性アスファルトエマルション、アルカリ金属炭酸塩、アルカリ土類金属炭酸塩、硫酸塩又はそれらの混合物を含む１又はそれよりも多くの充填材、並びに非イオン性界面活性剤を含有する組成物。
【請求項２】
クレーを使用して前記アスファルトを水中に乳化させている、請求項１に記載の組成物。
【請求項３】
前記充填材が、炭酸カルシウム、炭酸マグネシウムカルシウム、硫酸バリウム又はそれらの混合物である、請求項１又は２に記載の組成物。
【請求項４】
前記水性アスファルトエマルションの量が、３５〜７５重量％であり、前記充填材の量が、２５〜６５重量％であり、且つ前記非イオン性界面活性剤の量が、０．０１〜１．０重量％である、請求項１〜３のいずれかに記載の組成物。
【請求項５】
前記組成物が更に、溶媒又は可塑剤を含有する、請求項１〜４のいずれかに記載の組成物。
【請求項６】
前記界面活性剤が、アルキルフェノキシアルカノール又はアルキルフェノキシアルコキシル化アルカノールである、請求項１〜５のいずれかに記載の組成物。
【請求項７】
請求項１〜６のいずれかに記載の組成物を基材に塗布して、この基材を通過する音を減衰させる基材に付着した塗膜を形成することを含む、基材の音減衰特性を改善する方法。
【請求項８】
塗布された前記組成物を乾燥することを更に含む、請求項７に記載の方法。
【請求項９】
前記組成物を基材上に渦巻き塗布する、請求項７又は８のいずれかに記載の方法。
【請求項１０】
請求項１〜６のいずれかに記載の塗膜を有する基材を含む物品。
【手続補正書】
【提出日】平成15年1月24日(2003.1.24)
【手続補正１】
【補正対象書類名】明細書
【補正対象項目名】請求項２
【補正方法】変更
【補正の内容】
【請求項２】
（Ａ）結合剤として、
（ａ）少なくとも１種のオレフィン性不飽和モノマー、および
（ｂ）少なくとも１種の（ａ）のオレフィン性不飽和モノマーとは異なる、式Ｉ：
Ｒ１Ｒ２Ｃ＝ＣＲ３Ｒ４                            （Ｉ）
［式中、
Ｒ１、Ｒ２、Ｒ３およびＲ４は、それぞれ相互に独立して、水素原子または置換あるいは非置換のアルキル、シクロアルキル、アルキルシクロアルキル、シクロアルキルアルキル、アリール、アルキルアリール、シクロアルキルアリール、アリールアルキルまたはアリールシクロアルキル基であり、ただし、記号Ｒ１、Ｒ２、Ｒ３およびＲ４の少なくとも２つは置換あるいは非置換のアリール、アリールアルキルまたはアリールシクロアルキル基であり、特に置換または非置換アリール基である］で表されるオレフィン性不飽和モノマー
を、水性媒体中でフリーラジカル重合することにより製造できる少なくとも１種のコポリマー、および
（Ｂ）少なくとも１種の色および／または効果を有する顔料、ただしその量は（Ｂ）：（Ａ）で表される顔料／結合剤または顔料＋充填剤／結合剤の比が１０：１〜１：３００である
を含有することを特徴とする、色および／または効果を有する水性塗料。
【手続補正書】
【提出日】平成15年7月23日(2003.7.23)
【手続補正１】
【補正対象書類名】明細書
【補正対象項目名】特許請求の範囲
【補正方法】変更
【補正の内容】
【特許請求の範囲】
【請求項１】
FRP-4遺伝子によりコードされるポリペプチドの活性を変化させる工程、またはFRP-4ポリペプチドをコードするポリヌクレオチドの発現を変化させる工程を含む、被検体においてリン酸恒常性を調節する方法。
【請求項２】
被検体内において、FRP-4遺伝子によりコードされるポリペプチドの活性を変化させる有効量の作用物質、またはFRP-4ポリペプチドをコードするポリヌクレオチドの発現を変化させる有効量の作用物質を被検体に送達することによりリン酸恒常性が調節される、請求項1の方法。
【請求項３】
FRP-4遺伝子によりコードされるポリペプチドの活性を変化させる工程、またはFRP-4ポリペプチドをコードするポリヌクレオチドの発現を変化させる工程を含む、被検体において腎臓リン酸輸送を調節する方法。
【請求項４】
FRP-4遺伝子によりコードされるポリペプチドの活性を変化させる有効量の作用物質、またはFRP-4ポリペプチドをコードするポリヌクレオチドの発現を変化させる有効量の作用物質を被検体に送達することによって腎臓リン酸輸送を調節する、請求項3記載の方法。
【請求項５】
OOM関連腫瘍細胞内のFRP-4遺伝子によってコードされるポリペプチドの活性を変化させる工程、またはOOM関連腫瘍細胞内のFRP-4ポリペプチドをコードするポリヌクレオチドの発現を変化させる工程を含む、被検体内で腫瘍性骨軟化症関連症状を軽減する方法。
【請求項６】
FRP-4遺伝子によりコードされるポリペプチドの活性を変化させる有効量の作用物質、またはFRP-4ポリペプチドをコードするポリヌクレオチドの発現を変化させる有効量の作用物質を被検体に送達することによって、症状を軽減する、請求項５記載の方法。
【請求項７】
低リン酸血症、リン酸塩尿、1、25-ジヒドロキシビタミンDの低い血清濃度および骨軟化症からなる群から症状が選択される、請求項５または6記載の方法。
【請求項８】
OOM関連腫瘍細胞内のFRP-4ポリペプチドをコードするポリヌクレオチドの発現を変化させる工程、またはOOM関連腫瘍細胞内のFRP-4ポリペプチドをコードするポリヌクレオチドの発現を変化させる工程を含む、骨石灰化を調節する方法。
【請求項９】
FRP-4遺伝子によりコードされるポリペプチドの活性を変化させる有効量の作用物質を被検体に送達することによって、またはFRP-4ポリペプチドをコードするポリヌクレオチドの発現を変化させることによって、骨石灰化を調節する、請求項８記載の方法。
【請求項１０】
FRP-4遺伝子によりコードされるポリペプチドの活性を変化させる工程、またはFRP-4ポリペプチドをコードするポリヌクレオチドの発現を変化させる工程を含む、リン酸恒常性関連疾患を治療する方法。
【請求項１１】
FRP-4遺伝子によりコードされるポリペプチドの活性を変化させる有効量の作用物質を被検体に送達することによって、またはFRP-4ポリペプチドをコードするポリヌクレオチドの発現を変化させることによって、リン酸恒常性関連疾患を治療する、請求項１０記載の方法。
【請求項１２】
疾患が、X染色体低リン酸血症くる病、腫瘍性骨軟化症、横紋筋融解症、心筋症、腫瘍性石灰症、腎不全および骨石灰化からなる群から選択される、請求項10または11記載の方法。
【請求項１３】
FRP-4遺伝子によりコードされるポリペプチドの活性を変化させる工程、またはFRP-4ポリペプチドをコードするポリヌクレオチドの発現を変化させる工程を含む、被検体内でリン酸再吸収を減少させる方法。
【請求項１４】
有効量のFRP-4タンパク質またはFRP-4タンパク質をコードする有効量のポリヌクレオチドを被検体に送達することによって、リン酸再吸収を減少させる、請求項13記載の方法。
【請求項１５】
被検体内において、FRP-4遺伝子によりコードされるポリペプチドの活性を変化させる工程、またはFRP-4ポリペプチドをコードするポリヌクレオチドの発現を変化させる工程を含む、腫瘍性骨軟化症関連腫瘍細胞の表現型を調節する方法。
【請求項１６】
細胞内においてFRP-4ポリペプチドをコードするポリヌクレオチドの発現を変化させる作用物質、または細胞内においてFRP-4遺伝子の発現を変化させる作用物質を送達することによって、該腫瘍細胞の表現型を調節する方法。
請求項15記載の方法。
【請求項１７】
作用物質がFRP-4タンパク質、FRP-4ポリヌクレオチドをコードするポリヌクレオチド、アンチセンスFRP-4ポリヌクレオチド、および抗FRP-4抗体からなる群から選択される、請求項2、4、6、9、11、14、または16のいずれか一項に記載の方法。
【請求項１８】
FRP-4遺伝子によってコードされるポリペプチドを発現する細胞を検出する方法であって、適切なサンプルにFRP-4プローブ、FRP-4プライマー、および抗FRP-4抗体から選択される作用物質を接触させる工程を含む、方法。
【請求項１９】
該細胞が腫瘍性骨軟化症関連した腫瘍細胞であり、そのため腫瘍性骨軟化症関連腫瘍細胞を検出する、請求項18記載の方法。
【請求項２０】
標的細胞を試験作用物質と接触させる工程、およびFRP-4遺伝子の発現をモニターする工程を含み、FRP-4遺伝子の発現を修飾する試験作用物質が候補の治療作用物質である、FRP-4遺伝子を発現を調節する候補の治療作用物質をスクリーニングする方法。
【請求項２１】
FRP-4遺伝子によりコードされるポリペプチドの生物学的活性を変化させる能力を有する候補作用物質をスクリーニングする方法であって、FRP-4ポリペプチドを発現する標的細胞を試験作用物質と接触させる工程、および発現されたポリペプチド産物の活性をモニターする工程を含み、ポリペプチドの活性を修飾する試験作用物質が候補作用物質である、方法。
【請求項２２】
FRP-4タンパク質の活性を調節する候補の治療的作用物質をスクリーニングする方法であって、標的細胞を候補作用物質と接触させる工程、およびFRP-4タンパク質の活性をモニターする工程を含み、FRP-4タンパク質の活性を修飾する候補作用物質が候補の治療的作用物質である、方法。
【請求項２３】
候補作用物質がポリペプチド、ポリヌクレオチド、リボザイムまたは有機低分子からなる群から選択される生物化合物または化学化合物である、請求項20〜22のいずれか一項記載の方法。
【請求項２４】
FRP-4ポリヌクレオチドまたはFRP-4遺伝子が、ヒト、サルおよびげっ歯類FRP-4ポリヌクレオチドまたはFRP-4遺伝子からなる群から選択される、請求項17または23記載の方法。
【請求項２５】
FRP-4タンパク質の活性を調節する候補リガンドをスクリーニングする方法であって、標的細胞を候補作用物質と接触させる工程、およびFRP-4タンパク質の活性をモニターする工程を含み、FRP-4タンパク質の活性を変化させる候補作用物質が候補リガンドである、方法。
【手続補正２】
【補正対象書類名】明細書
【補正対象項目名】発明の名称
【補正方法】変更
【補正の内容】
【発明の名称】フォスファトニン関連遺伝子およびその使用法